(57)【要約】【課題】第２導入口から挿入される媒体の画像の読取品質が低下することを抑制できる画像読取装置及び媒体搬送装置を提供する。【解決手段】画像読取装置１は、第１導入口１１と、第２導入口１２と、第１導入口１１から挿入された媒体ＳＨ及び第２導入口１２から挿入された媒体ＣＡを排出する共通の排出口１３とが形成された筐体３０と、第１導入口１１から挿入された媒体ＳＨを排出口１３へ案内する第１搬送経路Ｐ１を構成する第１ガイド部１０と、第２導入口１２から挿入された媒体ＣＡを第１ガイド部１０に合流するように案内する第２搬送経路Ｐ２を構成する第２ガイド部２０と、合流位置Ｊ１よりも排出口１３側に配され、第１ガイド部１０及び第２ガイド部２０により案内される媒体ＳＨ、ＣＡの画像を読み取る読取部５５と、第２導入口１２から挿入される媒体ＣＡを幅方向において位置決めする可動ガイド１００とを備える。【選択図】図２
2014195187.tif 000002
【特許請求の範囲】
【請求項１】
媒体が挿入される第１導入口と、幅方向の長さが前記第１導入口より小さく形成され、媒体が挿入される第２導入口と、前記第１導入口から挿入された媒体及び前記第２導入口から挿入された媒体を排出する共通の排出口とが形成された筐体と、
前記第１導入口から挿入された媒体を前記排出口へ案内する第１搬送経路を構成する第１ガイド部と、
前記第２導入口から挿入された媒体を前記第１ガイド部に合流するように案内する第２搬送経路を構成する第２ガイド部と、
前記第２ガイド部が前記第１ガイド部に合流する合流位置よりも前記排出口側に配され、前記第１ガイド部及び前記第２ガイド部により案内される媒体の画像を読み取る読取部と、
前記第２導入口から挿入される媒体を前記幅方向において位置決めする可動ガイドとを備えていることを特徴とする画像読取装置。
【請求項２】
前記可動ガイドは、前記第２導入口における前記幅方向の一端側又は他端側に位置する端縁から前記筐体内に延びる内壁面と、前記第２導入口における前記端縁とは反対側に位置し、前記幅方向に変位可能に前記筐体に支持されたガイド部材とからなる請求項１記載の画像読取装置。
【請求項３】
前記筐体内における前記幅方向の中央部に設けられ、前記第１導入口から挿入される媒体を１枚ずつ分離して前記第１ガイド部に送り出すように構成される分離ローラをさらに備え、
前記第２導入口は、前記筐体における前記幅方向の一端側に位置し、
前記ガイド部材は、前記第２導入口における前記幅方向の一端側に位置している請求項２記載の画像読取装置。
【請求項４】
前記筐体内における前記幅方向の他端側に設けられ、駆動力を発生する駆動源と、
前記分離ローラと同軸上に配され、前記駆動源から前記分離ローラに前記駆動力を伝達する駆動軸とをさらに備え、
前記駆動軸は、前記分離ローラにおける前記幅方向の一端側の端面の近傍より前記幅方向の他端側のみに配されている請求項３記載の画像読取装置。
【請求項５】
前記ガイド部材は、前記筐体の外側に露出する操作部と、前記筐体内において前記操作部に連結され、前記第２導入口から前記筐体内に延びるガイド本体とを有し、
前記操作部と前記ガイド本体とは、前記第２導入口の開口縁の一部を挟み、
前記操作部と前記ガイド本体との間には、前記操作部と前記ガイド本体とを互いに接近させるように付勢する付勢部が設けられている請求項２乃至４のいずれか１項記載の画像読取装置。
【請求項６】
前記筐体の前記第２導入口が形成されている側の側面は平坦な平面であり、
前記操作部は、前記側面と面一にされている請求項５記載の画像読取装置。
【請求項７】
前記第２導入口は、前記側面から前記筐体内に向けて凹む凹部に形成され、
前記操作部は、前記凹部内に位置している請求項６記載の画像読取装置。
【請求項８】
前記凹部は、前記幅方向と直交する厚み方向において対向する一対の傾斜面を有し、
両前記傾斜面は、前記筐体内に向かって互いに接近するように傾斜して前記第２導入口に接続している請求項７記載の画像読取装置。
【請求項９】
媒体が挿入される第１導入口と、幅方向の長さが前記第１導入口より小さく形成され、媒体が挿入される第２導入口と、前記第１導入口から挿入された媒体及び前記第２導入口から挿入された媒体を排出する共通の排出口とが形成された筐体と、
前記第１導入口から挿入された媒体を前記排出口へ案内する第１搬送経路を構成する第１ガイド部と、
前記第２導入口から挿入された媒体を前記第１ガイド部に合流するように案内する第２搬送経路を構成する第２ガイド部と、
前記第２ガイド部が前記第１ガイド部に合流する合流位置よりも前記排出口側に配され、前記第１ガイド部及び前記第２ガイド部により案内される媒体に対して所定の処理を行う処理部と、
前記第２導入口から挿入される媒体を前記幅方向において位置決めする可動ガイドとを備えていることを特徴とする媒体搬送装置。
【発明の詳細な説明】
【技術分野】
【０００１】
本発明は画像読取装置及び媒体搬送装置に関する。
【背景技術】
【０００２】
特許文献１に従来の画像読取装置の例が開示されている。この画像読取装置は、筐体と第１ガイド部と第２ガイド部と読取部とを備えている。筐体には、第１導入口と第２導入口と排出口とが形成されている。第１導入口には、媒体が挿入される。第１導入口から挿入された媒体は、排出口から排出される。排出口の一部は、第２導入口を兼ねている。第２導入口は、幅方向の長さが第１導入口より小さく形成されている。第２導入口には、第１導入口から挿入される媒体よりも幅狭の媒体が挿入される。第２導入口から挿入された媒体は、筐体の内部に進んだ後にスイッチバックし、排出口から排出される。第１ガイド部は、第１導入口から挿入された媒体を排出口へ案内する第１搬送経路を構成している。第２ガイド部は、第２導入口から挿入された媒体を第１ガイド部から分岐するように筐体の内部へ案内した後にスイッチバックさせ、第１ガイド部に合流するように案内する第２搬送経路を構成している。読取部は、第２ガイド部が第１ガイド部に対して分岐及び合流する位置よりも排出口側に配され、第１ガイド部及び第２ガイド部により案内される媒体の画像を読み取る。
【先行技術文献】
【特許文献】
【０００３】
【特許文献１】特開２０１２−１００１１５号公報
【発明の概要】
【発明が解決しようとする課題】
【０００４】
ところで、上記従来の画像読取装置では、第２導入口に対して媒体が斜めに挿入されると、その媒体は斜行しながら読取部に画像を読み取られることになるので、媒体の画像の読取品質が低下し易い。
【０００５】
本発明は、上記従来の実情に鑑みてなされたものであって、第２導入口から挿入される媒体の画像の読取品質が低下することを抑制できる画像読取装置及び媒体搬送装置を提供することを目的とする。
【課題を解決するための手段】
【０００６】
本発明の画像読取装置は、媒体が挿入される第１導入口と、幅方向の長さが第１導入口より小さく形成され、媒体が挿入される第２導入口と、第１導入口から挿入された媒体及び第２導入口から挿入された媒体を排出する共通の排出口とが形成された筐体と、
第１導入口から挿入された媒体を排出口へ案内する第１搬送経路を構成する第１ガイド部と、
第２導入口から挿入された媒体を第１ガイド部に合流するように案内する第２搬送経路を構成する第２ガイド部と、
第２ガイド部が第１ガイド部に合流する合流位置よりも排出口側に配され、第１ガイド部及び第２ガイド部により案内される媒体の画像を読み取る読取部と、
第２導入口から挿入される媒体を幅方向において位置決めする可動ガイドとを備えていることを特徴とする。
【０００７】
本発明の画像読取装置では、第２導入口から挿入される媒体は、可動ガイドによって幅方向の位置決めが行われる。これにより、この画像読取装置では、第２導入口に対して媒体が斜めに挿入されることを抑制でき、その結果、その媒体が斜行しながら読取部に画像を読み取られることを防止できる。
【０００８】
したがって、本発明の画像読取装置では、第２導入口から挿入される媒体の画像の読取品質が低下することを抑制できる。
【０００９】
また、上記従来の画像読取装置に対し、第２導入口から挿入される媒体の幅方向の位置決めを行う可動ガイドを設けるとすれば、その可動ガイドは、第１導入口から挿入されて排出口から排出される媒体と干渉することになる。そして、第１導入口から挿入された媒体が排出口から排出される際、可動ガイドがその媒体から退避する構成とすれば、可動ガイドの退避スペースを筐体内に確保しなければならず、小型化が難しい。
【００１０】
この点、本発明の画像読取装置では、第１導入口から挿入された媒体は、第１ガイド部により案内され、排出口から排出される。第２導入口から挿入された媒体は、第２ガイド部により案内され、第１ガイド部に合流し、さらに第１ガイド部により案内されて共通の排出口から排出される。つまり、第１導入口から挿入された媒体は、上記従来の画像読取装置と異なり、第２導入口を通過しない。このため、第２導入口から挿入される媒体の幅方向の位置決めを行う可動ガイドを設けても、その可動ガイドが第１導入口から挿入された媒体と干渉しない。その結果、この画像読取装置では、第１導入口から挿入された媒体に対し、可動ガイドが退避する必要もない。したがって、この画像読取装置では、小型化を実現できる。
【００１１】
本発明の媒体搬送装置は、媒体が挿入される第１導入口と、幅方向の長さが第１導入口より小さく形成され、媒体が挿入される第２導入口と、第１導入口から挿入された媒体及び第２導入口から挿入された媒体を排出する共通の排出口とが形成された筐体と、
第１導入口から挿入された媒体を排出口へ案内する第１搬送経路を構成する第１ガイド部と、
第２導入口から挿入された媒体を第１ガイド部に合流するように案内する第２搬送経路を構成する第２ガイド部と、
第２ガイド部が第１ガイド部に合流する合流位置よりも排出口側に配され、第１ガイド部及び第２ガイド部により案内される媒体に対して所定の処理を行う処理部と、
第２導入口から挿入される媒体を幅方向において位置決めする可動ガイドとを備えていることを特徴とする。
【００１２】
本発明の媒体搬送装置は、本発明の画像読取装置について上述した作用効果と同様の作用効果を奏することができる。
【００１３】
したがって、本発明の媒体搬送装置では、第２導入口から挿入される媒体の画像の読取品質が低下することを抑制できる。また、本発明の媒体搬送装置では、小型化を実現できる。
【図面の簡単な説明】
【００１４】
【図１】実施例の画像読取装置に係り、シートトレイを開いた状態の前方を主に示す斜視図である。
【図２】実施例の画像読取装置に係り、シートトレイを閉じた状態の後方を主に示す部分斜視図である。
【図３】実施例の画像読取装置に係り、シートトレイを閉じた状態の前方を主に示す斜視図である。
【図４】実施例の画像読取装置に係り、シートトレイを開いた状態を示す模式上面図である。
【図５】実施例の画像読取装置に係り、図４のＡ−Ａ断面を示す断面図である。
【図６】実施例の画像読取装置に係り、図４のＢ−Ｂ断面であって、シートトレイを閉じた状態を示す断面図である。
【図７】実施例の画像読取装置に係り、第１シュート部材を揺動させた状態を示す斜視図である。
【図８】実施例の画像読取装置に係り、分離ローラ及び駆動軸を主に示す分解斜視図である。
【図９】実施例の画像読取装置に係り、第２導入口及び可動ガイドを主に示す部分斜視図である。
【図１０】実施例の画像読取装置に係り、第２導入口及び可動ガイドを主に示す部分分解斜視図である。
【図１１】実施例の画像読取装置に係り、図９のＣ−Ｃ断面を示す断面図である。
【発明を実施するための形態】
【００１５】
以下、本発明に係る画像読取装置及び媒体搬送装置を具体化した実施例を図面を参照しつつ説明する。
【００１６】
（実施例）
図１に示すように、実施例の画像読取装置１は、本発明の画像読取装置及び媒体搬送装置の具体的態様の一例である。図１では、排出口１３側を装置の前側と規定し、排出口１３に対向した場合に左手に来る側を左側と規定して、前後、左右及び上下の各方向を表示する。そして、図２以降に示す各方向は、全て図１に示す各方向に対応させて表示する。以下、図１等に基づいて、画像読取装置１が備える各構成要素について説明する。
【００１７】
＜構成＞
図１〜図８に示すように、画像読取装置１は、筐体３０と、シートトレイ３６とを備えている。筐体３０は、第１シュート部材３１と、第２シュート部材３２と、一対のサイドフレーム３３Ｌ、３３Ｒとが組み合わされてなる。
【００１８】
上側に位置する第１シュート部材３１と、下側に位置する第２シュート部材３２とは、上下方向の間隔を有して互いに対向している。左側のサイドフレーム３３Ｌ及び右側のサイドフレーム３３Ｒは、第１シュート部材３１及び第２シュート部材３２を左右方向の外側から挟んでいる。
【００１９】
図１及び図５〜図７に示すように、第１シュート部材３１は、上面３１Ａ、前面３１Ｂ及び上側案内面３１Ｇ等を有している。上面３１Ａは、上方を向く平面である。上面３１Ａは、後方から前方に向かって下り傾斜している。上面３１Ａの中央には、タッチパネル７０が設けられている。前面３１Ｂは、前方を向く平面である。前面３１Ｂは、上面３１Ａの前端縁に連続し、下方に向かって垂直に延びている。上側案内面３１Ｇは、下方を向く屈曲平面である。上側案内面３１Ｇは、上面３１Ａの後端縁の下側から前方に向かって下り傾斜している。上側案内面３１Ｇは、第１シュート部材３１における前後方向の略中央において前方に向きを変える。上側案内面３１Ｇは、前方に向かって略水平に延びて、前面３１Ｂの下端縁３１ＢＡに連続している。要するに、第１シュート部材３１は、後方から前方に向かって下り傾斜している。
【００２０】
図１、図２及び図５〜図７に示すように、第２シュート部材３２は、前面３２Ｂ、下側案内面３２Ｇ及び後面３２Ｃを有している。前面３２Ｂは、前方を向く平面である。前面３２Ｂの上端縁３２ＢＡは、前面３１Ｂの下端縁３１ＢＡに対して、隙間を有して下側に離間している。前面３２Ｂは、下方に向かって垂直に延びている。下側案内面３２Ｇは、上方を向く屈曲平面である。下側案内面３２Ｇは、後面３２Ｃの上端縁の上側から上側案内面３１Ｇに沿うように、前方に向かって下り傾斜している。下側案内面３２Ｇは、第２シュート部材３２における前後方向の中央において前方に向きを変える。下側案内面３２Ｇは、前方に向かって水平に延びて、前面３２Ｂの上端縁３２ＢＡに連続している。後面３２Ｃは、後方を向く平面である。後面３２Ｃは、下方に向かって略垂直に延びている。
【００２１】
図６及び図８等に示すように、第２シュート部材３２は、下側カード案内面３２Ｊ及び上側カード案内面３２Ｈを有している。下側カード案内面３２Ｊは、下側案内面３２Ｇの水平部分における右端部に連続し、後方に向かって水平に延びて後面３２Ｃまで達している。上側カード案内面３２Ｈは、下側カード案内面３２Ｊに対して上方に離間している。上側カード案内面３２Ｈは、下側カード案内面３２Ｊと平行に、後方に向かって水平に延びて後面３２Ｃまで達している。図６に示すように、上側カード案内面３２Ｈの上下方向の高さは、上側案内面３１Ｇの水平部分の上下方向の高さとほぼ同じである。
【００２２】
なお、上側案内面３１Ｇ、下側案内面３２Ｇ、上側カード案内面３２Ｈ、下側カード案内面３２Ｊは、平滑な平面からなる構成に限定されず、複数のリブの先端縁等によって構成されていてもよい。
【００２３】
図４及び図６に示すように、下側カード案内面３２Ｊが下側案内面３２Ｇの水平部分における右端部に連続する位置を合流位置Ｊ１とする。
【００２４】
図１及び図５等に示すように、筐体３０には、第１導入口１１と、排出口１３とが形成されている。
【００２５】
第１導入口１１に、シートＳＨが挿入される。シートＳＨは、例えば、用紙やＯＨＰシート等である。シートＳＨは、本発明の「媒体」の一例である。
【００２６】
より詳しくは、図５に示すように、第１導入口１１は、第１シュート部材３１と第２シュート部材３２との間に形成されている。第１導入口１１は、上側案内面３１Ｇの後端縁３１ＧＡと、下側案内面３２Ｇの後端縁３２ＧＡとの隙間である。図１に示すように、第１導入口１１は、左側のサイドフレーム３３Ｌの近傍から右側のサイドフレーム３３Ｒの近傍まで、左右方向に延びている。第１導入口１１の左右方向の長さは、シートＳＨの幅よりも長くされている。
【００２７】
図１及び図５に示すように、排出口１３から、シートＳＨが排出される。排出口１３は、第１シュート部材３１と第２シュート部材３２との間に形成されている。より詳しくは、排出口１３は、前面３１Ｂの下端縁３１ＢＡと、前面３２Ｂの上端縁３２ＢＡとの隙間である。排出口１３は、左側のサイドフレーム３３Ｌの近傍から右側のサイドフレーム３３Ｒの近傍まで、左右方向に延びている。排出口１３の左右方向の長さは、第１導入口１１と同様、シートＳＨの幅よりも長くされている。
【００２８】
図４〜図６に示すように、画像読取装置１は、第１ガイド部１０を備えている。第１ガイド部１０は、第１シュート部材３１の上側案内面３１Ｇと、第２シュート部材３２の下側案内面３２Ｇとに上下方向から挟まれてなる通路により、第１搬送経路Ｐ１を形成している。第１ガイド部１０は、第１搬送経路Ｐ１に沿って、シートＳＨを第１導入口１１から排出口１３へ案内する。
【００２９】
第１ガイド部１０は、第１導入口１１から前方に向かって下り傾斜している。そして、第１ガイド部１０は、筐体３０における前後方向の中央において前向きに屈曲し、排出口１３まで水平に延びている。
【００３０】
図７に示すように、第１シュート部材３１は、回動軸心Ｘ３１周りに筐体３０に揺動可能に組み付けられている。回動軸心Ｘ３１は、第１シュート部材３１の前面３１Ｂの下端縁３１ＢＡ側に位置して左右方向に延びている。第１シュート部材３１が第２シュート部材３２に対して上方に離間するように揺動することにより、第１ガイド部１０が開放される。
【００３１】
図４に示すように、第１ガイド部１０において、合流位置Ｊ１より排出口１３側、かつ右端側に位置する領域は、カード搬送領域２９とされている。
【００３２】
図２及び図６等に示すように、筐体３０には、第２導入口１２が形成されている。第２導入口１２に、シートＳＨより幅狭であるカードＣＡが挿入される。カードＣＡは、シートＳＨより小面積の枚葉である。カードＣＡは、例えば、名刺、キャッシュカード、会員証又は免許証等である。カードＣＡの短辺の長さは、例えば、国際標準化機構（ＩＳＯ）／国際電気標準会議（ＩＥＣ）による国際規格ＩＤ−１の５３．９８ｍｍである。カードＣＡの長辺の長さは、例えば、国際標準化機構（ＩＳＯ）／国際電気標準会議（ＩＥＣ）による国際規格ＩＤ−１の８５．６０ｍｍである。カードＣＡは、シートＳＨより肉厚であるとともに剛性が高い。カードＣＡも、本発明の「媒体」の一例である。
【００３３】
より詳しくは、図６に示すように、第２導入口１２は、第２シュート部材３２に形成されている。第２導入口１２は、後面３２Ｃにおける上下方向の中間部、かつ右側のサイドフレーム３３Ｒ側に開口している。第２導入口１２は、左右方向に延びている。第２導入口１２の左右方向の長さは、第１導入口１１の左右方向の長さよりも小さく形成されている。また、第２導入口１２の左右方向の長さは、カードＣＡの幅よりも長くされている。第２導入口１２の上下方向の高さは、第１ガイド部１０の水平部分及び排出口１３の上下方向の高さとほぼ同じである。第２導入口１２は、第１導入口１１の右端側と上下方向において重なる位置にある。
【００３４】
第２導入口１２が延びる左右方向は、本発明の「幅方向」の一例である。また、本実施例において、幅方向の一端側は右端側であり、幅方向の他端側は左端側である。
【００３５】
図２等に示すように、第２導入口１２には、可動ガイド１００が設けられている。可動ガイド１００は、第２導入口１２から挿入されるカードＣＡを左右方向において位置決めする。
【００３６】
図３及び図６に示すように、排出口１３の右端側から、カードＣＡが排出される。要するに、排出口１３からは、第１導入口１１から挿入されたシートＳＨ及び第２導入口１２から挿入されたカードＣＡが共通して排出される。
【００３７】
図４、図６及び図８に示すように、画像読取装置１は、第２ガイド部２０を備えている。第２ガイド部２０は、第２シュート部材３２の上側カード案内面３２Ｈと下側カード案内面３２Ｊとに上下方向から挟まれてなる通路により、図６に示す第２搬送経路Ｐ２を形成している。第２ガイド部２０は、合流位置Ｊ１において、第１ガイド部１０に合流する。第２ガイド部２０は、第２搬送経路Ｐ２に沿って、第２導入口１２から挿入されたカードＣＡを第１ガイド部１０に合流するように案内する。
【００３８】
第２ガイド部２０が第１ガイド部１０に合流する合流位置Ｊ１は、上側案内面３１Ｇ及び下側案内面３２Ｇの前方から後方に向かって下り傾斜する部分から水平に向きを変える部分に設定されている。これにより、第２ガイド部２０と、第１ガイド部１０の右端側に位置するカード搬送領域２９とは、後方の第２導入口１２から前方の排出口１３の右端側まで水平に延びている。第２ガイド部２０とカード搬送領域２９とは、第２導入口１２から排出口１３の右端側へカードＣＡを案内する。
【００３９】
図１に示すように、シートトレイ３６は、基部３６Ａ、中間部３６Ｂ及び先端部３６Ｃを有している。基部３６Ａは、左右方向に延びる回動軸心Ｘ３６Ａ周りに回動可能に両サイドフレーム３３Ｌ、３３Ｒに支持されている。中間部３６Ｂは、基部３６Ａの回動軸心Ｘ３６Ａから遠い端縁側において、基部３６Ａに連結されている。先端部３６Ｃは、中間部３６Ｂの基部３６Ａから遠い端縁側において、中間部３６Ｂに連結されている。中間部３６Ｂの中央には、操作開口３９が矩形状に開口している。
【００４０】
図１及び図５に示すように、シートトレイ３６が開いた状態では、基部３６Ａ、中間部３６Ｂ及び先端部３６Ｃが下側案内面３２Ｇの傾斜部分に連続するように後方に向かって上り傾斜し、第１導入口１１を開放している。シートトレイ３６には、１枚又は複数枚のシートＳＨが載置される。シートトレイ３６は、左右一対の幅規制ガイド３６Ｗを有している。幅規制ガイド３６Ｗは、シートトレイ３６に載置されるシートＳＨを左右方向の外側から挟んで左右方向の位置決めを行う。シートトレイ３６に載置されたシートＳＨは、第１導入口１１に挿入され、第１ガイド部１０により排出口１３へ案内される。
【００４１】
図２、図３及び図６に示すように、シートトレイ３６が閉じた状態では、基部３６Ａが垂直になって第２シュート部材３２の後面３２Ｃと面一になり、中間部３６Ｂが第１シュート部材３１の上面３１Ａを上方から覆い、先端部３６Ｃが第１シュート部材３１の前面３１Ｂを前方から覆っている。図２及び図３に示すように、操作開口３９は、シートトレイ３６が閉じた状態でタッチパネル７０を外部に露出させている。
【００４２】
図４〜図６等に示すように、画像読取装置１は、制御基板５４と、駆動源４０Ｍと、搬送部４０と、読取部５５とを備えている。読取部５５は、本発明の「処理部」の一例である。
【００４３】
図５及び図６に示すように、制御基板５４は、第２シュート部材３２の底部に配されている。図示は省略するが、制御基板５４は、ＣＰＵ、ＲＯＭ及びＲＡＭ等を備える扁平な電子回路基板である。制御基板５４には、ＡＣアダプタ及び給電コードを介して、家庭用コンセントから電力が供給される。制御基板５４は、駆動源４０Ｍ、読取部５５、タッチパネル７０等に電気的に接続され、適宜それらに電力を供給して制御を行う。
【００４４】
図４に示すように、駆動源４０Ｍは、筐体３０内における左側のサイドフレーム３３Ｌ側に設けられている。駆動源４０Ｍは、図示しないモータ及び伝達ギヤ群を有している。駆動源４０Ｍは、そのモータが制御基板５４に制御されることにより、駆動力を発生する。
【００４５】
図４〜図８に示すように、搬送部４０は、分離ローラ４８、分離パッド４９、上流側搬送部４１及び下流側搬送部４２を有している。読取部５５は、第１読取部５５Ａ及び第２読取部５５Ｂを有している。これらは、第１ガイド部１０において、第１導入口１１から排出口１３に向かってシートＳＨが搬送される搬送方向の上流側から下流側に向かって、分離ローラ４８及び分離パッド４９、上流側搬送部４１、第２読取部５５Ｂ、第１読取部５５Ａ、下流側搬送部４２という順番で配されている。また、分離ローラ４８及び分離パッド４９は、合流位置Ｊ１よりも第１導入口１１側に配され、上流側搬送部４１、第２読取部５５Ｂ、第１読取部５５Ａ及び下流側搬送部４２は、合流位置Ｊ１よりも排出口１３側に配されている。以下、この順番で、これらの構成を説明する。
【００４６】
図５及び図８等に示すように、分離ローラ４８は、第２シュート部材３２内に回転可能に支持されている。分離ローラ４８の上部は、下側案内面３２Ｇの傾斜部分から第１ガイド部１０に露出している。
【００４７】
図４及び図８に示すように、分離ローラ４８は、第１ガイド部１０における左右方向の中央部に位置している。分離ローラ４８は、駆動軸４８Ｓにより、駆動源４０Ｍに連結されている。駆動軸４８Ｓは、分離ローラ４８と同軸上に配されて左右方向に延びている。駆動軸４８Ｓの右端部は、分離ローラ４８の右端面４８Ｒより僅かに右方に突出し、第２シュート部材３２により回転可能に支持されている。駆動軸４８Ｓの右端部は、カード搬送領域２９より左側で途切れている。すなわち、駆動軸４８Ｓは、分離ローラ４８の右端面４８Ｒの近傍より左端側のみに配されている。駆動軸４８Ｓは、駆動源４０Ｍから分離ローラ４８に駆動力を伝達する。
【００４８】
分離ローラ４８は、制御基板５４が駆動源４０Ｍを制御することにより、駆動軸４８Ｓを介して駆動源４０Ｍに駆動される。そして、図５に示すように、分離ローラ４８は、シートトレイ３６に載置されたシートＳＨに当接しつつ回転することにより、そのシートＳＨを第１ガイド部１０に送り出す。
【００４９】
図７に示すように、分離パッド４９は、第１シュート部材３１に組み付けられている。図５に示すように、分離パッド４９は、上側案内面３１Ｇにおいて第１ガイド部１０に露出している。分離パッド４９は、ゴムやエラストマー等の摩擦部材からなる板状体である。分離パッド４９は、図示しない付勢部材に付勢されて、分離ローラ４８に押し付けられている。これにより、分離ローラ４８と分離パッド４９とは、第１ガイド部１０において搬送されるシートＳＨを挟んで一枚ずつ分離し得る。
【００５０】
図４〜図８に示すように、上流側搬送部４１は、第１搬送ローラ対４１Ａ、４１Ｂと、第２搬送ローラ対４１Ｄとを備えている。第１搬送ローラ対４１Ａ、４１Ｂ及び第２搬送ローラ対４１Ｄは、搬送方向において同じ位置に配されている。第１搬送ローラ対４１Ａ、４１Ｂ及び第２搬送ローラ対４１Ｄはそれぞれ、駆動源４０Ｍに駆動されて回転する駆動ローラと、その駆動ローラと対向する従動ローラとからなる。
【００５１】
第１搬送ローラ対４１Ａ、４１Ｂは、カード搬送領域２９外に位置し、第１ガイド部１０においてシートＳＨをニップして搬送する。第２搬送ローラ対４１Ｄは、カード搬送領域２９内に位置し、第１ガイド部１０のカード搬送領域２９においてカードＣＡをニップして搬送する。
【００５２】
第２読取部５５Ｂは、第２シュート部材３２に組み付けられている。より具体的には、第２読取部５５Ｂは、Ｃｏｎｔａｃｔ  Ｉｍａｇｅ  Ｓｅｎｓｏｒ（以後、「ＣＩＳ」と略す）、ＣＩＳホルダ及びコンタクトガラス等を備える。第２読取部５５Ｂの上面は、下側案内面３２Ｇの水平部分において第１ガイド部１０に露出している。
【００５３】
第１読取部５５Ａは、第１シュート部材３１に組み付けられている。より具体的には、第１読取部５５Ａは、ＣＩＳ、ＣＩＳホルダ及びコンタクトガラス等を備える。第１読取部５５Ａの下面は、上側案内面３１Ｇの水平部分において第１ガイド部１０に露出している。
【００５４】
第１読取部５５Ａ及び第２読取部５５Ｂは、第１読取部５５Ａが排出口１３に対して第２読取部５５Ｂよりも近い位置にある状態で、カード搬送領域２９を含む第１ガイド部１０全体を上下方向から挟むように対向している。
【００５５】
上記構成により、第１読取部５５Ａ及び第２読取部５５Ｂは、シートＳＨが第１ガイド部１０において搬送される場合、そのシートＳＨの両面の画像を読み取る。また、第１読取部５５Ａ及び第２読取部５５Ｂは、第２ガイド部２０に案内されて第１ガイド部１０に合流したカードＣＡがカード搬送領域２９において搬送される場合、そのカードＣＡの両面の画像を読み取る。
【００５６】
下流側搬送部４２は、第１搬送ローラ対４２Ａ、４２Ｂ、４２Ｃと、第２搬送ローラ対４２Ｄとを備えている。第１搬送ローラ対４２Ａ、４２Ｂ、４２Ｃ及び第２搬送ローラ対４２Ｄは、搬送方向において同じ位置に配されている。第１搬送ローラ対４２Ａ、４２Ｂ、４２Ｃ及び第２搬送ローラ対４２Ｄはそれぞれ、駆動源４０Ｍに駆動されて回転する駆動ローラと、その駆動ローラと対向する従動ローラとからなる。
【００５７】
第１搬送ローラ対４２Ａ、４２Ｂ、４２Ｃは、カード搬送領域２９外に位置し、第１ガイド部１０において搬送されるシートＳＨをニップして回転し、シートＳＨを排出口１３から筐体３０の外部に排出する。第２搬送ローラ対４２Ｄは、カード搬送領域２９内に位置し、カード搬送領域２９において画像が読み取られたカードＣＡをニップして回転し、カードＣＡを排出口１３の右端側から筐体３０の外部に排出する。
【００５８】
図１及び図５に示すように、タッチパネル７０は、第１シュート部材３１の内部における上面３１Ａ側に組み付けられている。タッチパネル７０は、上面３１Ａにくり抜かれた矩形状のタッチパネル用開口３１Ｈにより外部に露出している。タッチパネル７０は、液晶パネルと、液晶パネルの背面側から光を照射する蛍光ランプやＬＥＤ等の光源と、液晶パネルの表面に貼り合わされた接触感知膜とを有している。
【００５９】
タッチパネル７０は、制御基板５４に制御されて、画像読取動作の処理状況やエラー状況等である画像読取装置１の稼働状況等を表示する。また、タッチパネル７０は、外部からの操作を受け付ける。具体的には、タッチパネル７０は、例えば、画像読取を開始するためのボタンや、設定入力用のボタン等の各種のボタンを表示する。そして、ユーザがいずれかのボタンに対応する処理の実行指示や設定入力を行うために、タッチパネル７０に触れると、タッチパネル７０は、その操作を受け付けて、制御基板５４に伝達する。
【００６０】
＜シート及びカードの画像読取動作＞
この画像読取装置１では、以下のようにして、シートＳＨ及びカードＣＡの画像が読み取られる。
【００６１】
図１及び図５に示すように、シートＳＨの画像が読み取られる場合、ユーザにより、シートトレイ３６が開いた状態とされる。シートトレイ３６が開いた状態であれば、その状態が維持される。そして、ユーザにより、シートトレイ３６にシートＳＨが載置される。制御基板５４は、タッチパネル７０からシートＳＨの読取指示があった場合、図示しないシート検出センサによってシートトレイ３６にシートＳＨが載置されていることを確認した上で、シートＳＨの画像読取動作を開始する。
【００６２】
そうすると、制御基板５４は、駆動源４０Ｍに駆動力を発生させるように制御する。そうすると、まず、分離ローラ４８が分離パッド４９とシートＳＨを挟みながら回転する。分離ローラ４８は、シートトレイ３６上のシートＳＨを第１導入口１１から導入し、シートＳＨを第１ガイド部１０に送り出す。この際、複数枚のシートＳＨが重なった状態で搬送されようとしている場合、分離パッド４９とシートＳＨとの間の摩擦力などにより、シートＳＨが一枚ずつ分離され得る。
【００６３】
次に、上流側搬送部４１の第１搬送ローラ対４１Ａ、４１Ｂによって、分離ローラ４８に送り出されたシートＳＨを第１ガイド部１０において搬送する。第１ガイド部１０において搬送されるシートＳＨの両面の画像が第１読取部５５Ａ及び第２読取部５５Ｂにより読み取られる。画像が読み取られたシートＳＨは、下流側搬送部４２の第１搬送ローラ対４２Ａ、４２Ｂ、４２Ｃによって、排出口１３から筐体３０の外部に排出される。
【００６４】
一方、図２、図３及び図６に示すように、カードＣＡの画像が読み取られる場合、ユーザにより、シートトレイ３６が閉じた状態とされる。シートトレイ３６が閉じた状態であれば、その状態が維持される。そして、図２に示すように、ユーザにより、カードＣＡが筐体３０の後方から第２導入口１２に差し込まれる。そうすると、カードＣＡは、第２ガイド部２０を通過し、その先端がカード搬送領域２９に到達する。制御基板５４は、タッチパネル７０からカードＣＡの読取指示があった場合、図示しないカード検出センサによって第２導入口１２からカードＣＡが挿入されていることを確認した上で、カードＣＡの画像読取動作を開始する。
【００６５】
そうすると、制御基板５４は、駆動源４０Ｍに駆動力を発生させるように制御する。そうすると、上流側搬送部４１の第２搬送ローラ対４１Ｄによって、カード搬送領域２９においてカードＣＡを搬送する。カード搬送領域２９において搬送されるカードＣＡの両面の画像が第１読取部５５Ａ及び第２読取部５５Ｂにより読み取られる。図３に示すように、画像が読み取られたカードＣＡは、下流側搬送部４２の第２搬送ローラ対４２Ｄによって、排出口１３から筐体３０の外部に排出される。
【００６６】
＜可動ガイドの構成＞
図２及び図４に示すように、可動ガイド１００は、内壁面１３２とガイド部材１０１とからなる。
【００６７】
図４及び図６〜図８に示すように、内壁面１３２は、第２シュート部材３２に形成されている。内壁面１３２は、第２導入口１２の左端側に位置する左端縁１２Ｌから筐体３０内に延びている。内壁面１３２は、前後方向及び上下方向に延びる平面である。内壁面１３２の下端縁は、下側カード案内面３２Ｊの左端縁に連続している。内壁面１３２の上端縁は、上側カード案内面３２Ｈの左端縁に連続している。図６及び図８に示すように、内壁面１３２の前端縁１３２Ｆは、合流位置Ｊ１の近傍に位置している。
【００６８】
図２及び図４等に示すように、ガイド部材１０１は、第２導入口１２における左端縁１２Ｌとは反対側、すなわち、第２導入口１２の右端側に位置している。図９〜図１１に示すように、ガイド部材１０１は、左右方向に数ｍｍ〜十数ｍｍ程度変位可能に第２シュート部材３２に支持されている。より詳しくは、ガイド部材１０１は、操作部１１０とガイド本体１２０とを有している。
【００６９】
操作部１１０は、第２シュート部材３２の後面３２Ｃ側に露出している。平坦な平面である後面３２Ｃには、筐体３０内に向けて凹む凹部３２Ｅが形成されている。第２導入口１２は、凹部３２Ｅに形成されている。凹部３２Ｅは、一対の傾斜面３２Ｓを有している。両傾斜面３２Ｓは、上下方向において対向している。上下方向は、第２導入口１２に挿入されるカードＣＡの厚み方向である。両傾斜面３２Ｓは、筐体３０内に向かって互いに接近するように傾斜し、第２導入口１２の開口縁１２Ｅの上側と下側とに接続している。
【００７０】
操作部１１０は、凹部３２Ｅ内に位置している。操作部１１０の後面には、ユーザの指が引っ掛かり易いように複数の突起が形成されている。図１１に示すように、操作部１１０の後面は、後面３２Ｃと面一にされている。
【００７１】
図９〜図１１に示すように、操作部１１０には、突出部１１１が形成されている。突出部１１１は、操作部１１０から前方に突出し、筐体３０内に延びている。突出部１１１の前端側は、鍵爪状に屈曲している。
【００７２】
ガイド本体１２０は、筐体３０内において、操作部１１０の突出部１１１に連結されている。ガイド本体１２０は、摺動部１２１と規制部１２２とを有している。摺動部１２１は、筐体３０の内側から第２導入口１２の開口縁１２Ｅの上側と下側とに摺動可能に接している。
【００７３】
摺動部１２１には、挿通穴１２１Ｈが形成されている。突出部１１１が挿通穴１２１Ｈに挿通された状態で、突出部１１１の前端側の鍵爪と、摺動部１２１との間に、圧縮コイルバネ１２９が装着されている。圧縮コイルバネ１２９は、操作部１１０とガイド本体１２０の摺動部１２１とを前後方向において互いに接近させるように付勢する。これにより、操作部１１０と摺動部１２１とは、第２導入口１２の開口縁１２Ｅの一部を前後方向から挟んでいる。圧縮コイルバネ１２９は、本発明の「付勢部」の一例である。圧縮コイルバネ１２９の付勢力により、操作部１１０と摺動部１２１とが第２導入口１２の開口縁１２Ｅに対して摺動する際、適度な摩擦抵抗が得られる。
【００７４】
規制部１２２は、摺動部１２１から筐体３０内の前方に延びている。図４及び図８に示すように、規制部１２２の左側面１２２Ｌは、左右方向において内壁面１３２と対向しつつ、内壁面１３２と平行に延びている。
【００７５】
このような構成である可動ガイド１００では、第２導入口１２から幅の異なる各種のカードＣＡが挿入される場合、それらのカードＣＡの幅に対応して、操作部１１０がユーザに操作される。これにより、ガイド部材１０１が左右方向に変位し、内壁面１３２と、ガイド部材１０１の規制部１２２の左側面１２２Ｌとの間隔がカードＣＡの幅に合わせて調整される。こうして、可動ガイド１００は、それらのカードＣＡを左右方向において良好に位置決めできる。
【００７６】
＜作用効果＞
実施例の画像読取装置１では、第２導入口１２から挿入されるカードＣＡは、可動ガイド１００によって左右方向の位置決めが行われる。これにより、この画像読取装置１では、第２導入口１２に対してカードＣＡが斜めに挿入されることを抑制でき、その結果、そのカードＣＡが斜行しながら読取部５５に画像を読み取られることを防止できる。
【００７７】
したがって、実施例の画像読取装置１では、第２導入口１２から挿入されるカードＣＡの画像の読取品質が低下することを抑制できる。
【００７８】
また、この画像読取装置１では、第１導入口１１から挿入されたシートＳＨは、第１ガイド部１０により案内され、排出口１３から排出される。第２導入口１２から挿入されたカードＣＡは、第２ガイド部２０により案内され、合流位置Ｊ１において第１ガイド部１０に合流し、さらに第１ガイド部１０により案内されて共通の排出口１３から排出される。つまり、第１導入口１１から挿入されたシートＳＨは、上記従来の画像読取装置と異なり、第２導入口１２を通過しない。このため、第２導入口１２から挿入されるカードＣＡの左右方向の位置決めを行う可動ガイド１００を第２導入口１２に設けても、可動ガイド１００が第１導入口１１から挿入されたシートＳＨと干渉しない。その結果、この画像読取装置１では、第１導入口１１から挿入されたシートＳＨに対し、可動ガイド１００が退避する必要もない。したがって、この画像読取装置１では、小型化を実現できる。
【００７９】
また、この画像読取装置１では、可動ガイド１００は、第２導入口１２の左端縁１２Ｌから筐体３０内に延びる内壁面１３２と、第２導入口１２の右端側に位置するガイド部材１０１とからなる。これにより、この画像読取装置１では、仮に、第２導入口１２における左右方向の両端側に一対のガイド部材を設ける場合と比較して、可動ガイド１００を簡素化でき、また可動ガイド１００の占有スペースを小さくできる。その結果、この画像読取装置１では、小型化を確実に実現できる。
【００８０】
さらに、この画像読取装置１では、分離ローラ４８が筐体３０内における左右方向の中央部に設けられている。第２導入口１２が筐体３０の右端側に位置している。そして、ガイド部材１０１は、第２導入口１２における右端側に位置している。これにより、この画像読取装置１では、ガイド部材１０１がレイアウトされる場所が分離ローラ４８から遠くなるので、ガイド部材１０１を設置するためのスペースを容易に確保できる。
【００８１】
また、この画像読取装置１では、図４等に示すように、分離ローラ４８が筐体３０内における左右方向の中央部に設けられている。分離ローラ４８と同軸上に配された駆動軸４８Ｓは、筐体３０内の左端側に設けられた駆動源４０Ｍから分離ローラ４８に駆動力を伝達する。そして、駆動軸４８Ｓは、分離ローラ４８の右端面４８Ｓの近傍より筐体３０内の左端側のみに配されている。この構成により、この画像読取装置１では、駆動軸４８Ｓが分離ローラ４８の右端面４８Ｒ側で途切れているので、筐体３０内の右端側に空きスペースが形成される。このため、その空きスペースに第２導入口１２を容易に配設することができ、その第２導入口１２の近傍にガイド部材１０１を設置するためのスペースも一層容易に確保できる。
【００８２】
さらに、この画像読取装置１では、操作部１１０とガイド本体１２０の摺動部１２１とが第２導入口１２の開口縁１２Ｅの一部を挟み、圧縮コイルバネ１２９が操作部１１０と摺動部１２１とを互いに接近させるように付勢する。このような簡素なガイド部材１０１を採用することにより、この画像読取装置１では、製造コストを低廉化できる。また、圧縮コイルバネ１２９により、ガイド部材１０１のスライド時に適度な摩擦抵抗が得られるとともに、筐体３０内に延びる規制部１２２のガタツキを抑制できるので、可動ガイド１００の操作性及び位置決め性が向上する。
【００８３】
また、この画像読取装置１では、図１１に示すように、操作部１１０は、第２導入口１２が形成された後面３２Ｃと面一にされている。これにより、この画像読取装置１では、ガイド部材１０１が後面３２Ｃから突出しないので、小型化を確実に実現できる。
【００８４】
さらに、この画像読取装置１では、操作部１１０は、後面３２Ｃから筐体３０内に向けて凹む凹部３２Ｅ内に位置している。これにより、この画像読取装置１では、ガイド部材１０１が後面３２Ｃから突出しない構成を容易に実現できる。
【００８５】
また、この画像読取装置１では、第２導入口１２に接近するカードＣＡが一対の傾斜面３２Ｓにより第２導入口１２に向かって案内されるので、カードＣＡを第２導入口１２に導入し易い。
【００８６】
以上において、本発明を実施例に即して説明したが、本発明は上記実施例に制限されるものではなく、その趣旨を逸脱しない範囲で適宜変更して適用できることはいうまでもない。
【産業上の利用可能性】
【００８７】
本発明は、画像読取装置、画像形成装置又は複合機等に利用可能である。
【符号の説明】
【００８８】
１…画像読取装置（媒体搬送装置）、ＳＨ、ＣＡ…媒体
ＳＨ…シート（第１導入口から挿入される媒体）
ＣＡ…カード（第２導入口から挿入される媒体）
３０…筐体、１１…第１導入口、１２…第２導入口、１３…排出口
１０…第１ガイド部、２０…第２ガイド部、５５…読取部（処理部）
Ｐ１…第１搬送経路、Ｐ２…第２搬送経路、Ｊ１…合流位置
４８…分離ローラ、４０Ｍ…駆動源、４８Ｓ…駆動軸
４８Ｒ…分離ローラにおける幅方向の一端側の端面（右端面）
１００…可動ガイド、１３２…内壁面、１０１…ガイド部材
１１０…操作部、１２０…ガイド本体、１２９…付勢部（圧縮コイルバネ）
１２Ｌ…第２導入口における幅方向の他端側に位置する端縁（左端縁）
３２Ｃ…筐体の第２導入口が形成されている側の側面（後面）
１２Ｅ…第２導入口の開口縁、３２Ｅ…凹部、３２Ｓ…一対の傾斜面
【図１】
2014195187.tif 000003
【図２】
2014195187.tif 000004
【図３】
2014195187.tif 000005
【図４】
2014195187.tif 000006
【図５】
2014195187.tif 000007
【図６】
2014195187.tif 000008
【図７】
2014195187.tif 000009
【図８】
2014195187.tif 000010
【図９】
2014195187.tif 000011
【図１０】
2014195187.tif 000012
【図１１】
2014195187.tif 000013